(57)【要約】【課題】外部機器を用いずに適切に測色する撮像装置を提供すること。【解決手段】撮像装置は、被写体像を観察するための観察光学系５〜８と、観察光学系５〜８を通過する光を受光するための受光手段１１と、観察光学系５〜８の光路上に設けられ、該光路において光の通過状態と透過拡散状態とを切替える第１の開閉手段２７と、第１の開閉手段２７が透過拡散する状態において受光手段１１で受光される信号を用いて測色処理を行う測色手段と、を備える。【選択図】図１
2012154694.tif 000002
【特許請求の範囲】
【請求項１】
被写体像を観察するための観察光学系と、
前記観察光学系を通過する光を受光する受光手段と、
前記観察光学系の光路上に設けられ、該光路において光の通過状態と透過拡散状態とを切替える第１の開閉手段と、
前記第１の開閉手段が前記光を透過拡散する状態において前記受光手段で受光される信号を用いて測色処理を行う測色手段と、
を備えることを特徴とする撮像装置。
【請求項２】
請求項１に記載の撮像装置において、
前記観察光学系の光路中に設けられ、該光路において光の通過状態と遮光状態とを切替える第２の開閉手段と、
前記第２の開閉手段に対して切替えをさせるための切替操作部材とをさらに備え、
前記切替え操作部材は、前記第１の開閉手段に対しても切替えをさせることを特徴とする撮像装置。
【請求項３】
請求項２に記載の撮像装置において、
前記切替え操作部材は、
前記第２の開閉手段による前記光の通過状態かつ前記第１の開閉手段による前記光の通過状態と、
前記第２の開閉手段による前記光の通過状態かつ前記第１の開閉手段による前記光の透過拡散状態と、
少なくとも前記第２の開閉手段による前記光の遮光状態と、を切替えさせることを特徴とする撮像装置。
【請求項４】
請求項１〜３のいずれか一項に記載の撮像装置において、
被写体像を撮像する撮像素子を有し、画像データを出力する撮像手段と、
前記撮像素子上に被写体像を結像させる撮像光学系と、
前記撮像光学系を通過した被写体光を前記観察光学系へ導く第１光路および前記被写体光を前記撮像素子へ導く第２光路を切替える光路切替手段と、をさらに備え、
前記測色手段は、前記第１の開閉手段による前記光の透過拡散状態、かつ前記第２の開閉手段による前記光の通過状態、かつ前記光路切替手段が前記第２光路へ切替えた状態、において前記受光手段で受光される信号を用いて前記測色処理を行うことを特徴とする撮像装置。
【請求項５】
請求項１〜３のいずれか一項に記載の撮像装置において、
被写体像を撮像する撮像素子を有し、画像データを出力する撮像手段と、
前記撮像素子上に被写体像を結像させる撮像光学系と、
前記撮像光学系を通過した被写体光を前記観察光学系へ導く第１光路および前記被写体光を前記撮像素子へ導く第２光路を切替える光路切替手段と、をさらに備え、
前記測色手段は、前記第１の開閉手段による前記光の透過拡散状態、かつ前記第２の開閉手段による前記光の遮光状態、かつ前記光路切替手段が前記第１光路へ切替えた状態、において前記受光手段で受光される信号を用いて前記測色処理を行うことを特徴とする撮像装置。
【請求項６】
請求項４または５に記載の撮像装置において、
前記測色手段が測色処理を終了したことを知らせる報知手段をさらに備えることを特徴とする撮像装置。
【発明の詳細な説明】
【技術分野】
【０００１】
本発明は、撮像装置に関する。
【背景技術】
【０００２】
カラー画像の色補正を行うために、外光の色情報を取得する（測色）技術が知られている（特許文献１参照）。
【先行技術文献】
【特許文献】
【０００３】
【特許文献１】特開２００５−３４１１７５号公報
【発明の概要】
【発明が解決しようとする課題】
【０００４】
従来技術では、撮影レンズにフィルタを装着したり、フィルタターレットを回したり、外部機器が必要であり、測色のための作業が面倒であった。
【課題を解決するための手段】
【０００５】
本発明による撮像装置は、被写体像を観察するための観察光学系と、観察光学系を通過する光を受光するための受光手段と、観察光学系の光路上に設けられ、該光路において光の通過状態と環境光（外光）の透過拡散状態とを切替える第１の開閉手段と、第１の開閉手段が環境光（外光）を透過拡散する状態において受光手段で受光される信号を用いて測色処理を行う測色手段と、を備えることを特徴とする。
【発明の効果】
【０００６】
本発明による撮像装置では、外部機器を用いずに適切に測色でき、かつ、簡単に短時間で測色が行える。
【図面の簡単な説明】
【０００７】
【図１】本発明の一実施の形態による一眼レフ電子カメラシステムの構成を例示する図である。
【図２】一眼レフ電子カメラシステムの回路構成を例示するブロック図である。
【図３】白色透過式シャッターが閉鎖時を例示する図である。
【図４】ＭＰＵが実行するカメラ処理の流れを説明するフローチャートである。
【発明を実施するための形態】
【０００８】
以下、図面を参照して本発明を実施するための形態について説明する。図１は、本発明の一実施の形態による一眼レフ電子カメラシステムの構成を例示する図である。図１において、カメラ本体１のマウント（不図示）に対し、着脱可能に構成される撮影レンズ２が装着されている。
【０００９】
被写体からの光Ｌは、撮影レンズ２の光学系ＬＳおよび絞り３を介してカメラ本体１へ入射する。カメラ本体１に入射した被写体光Ｌの一部は、レリーズ操作前はクイックリターンミラー（以下メインミラーと呼ぶ）４によって上方のファインダ部へ導かれてフォーカシングスクリーン５に結像する。また、カメラ本体１に入射した被写体光Ｌの一部はサブミラー１５で下方へ反射され、焦点検出用センサー１６へ導かれる。焦点検出用センサー１６による検出信号は、ＡＦ制御部１１０（図２）による焦点検出演算に用いられる。
【００１０】
レリーズ操作後はメインミラー４が上方へ回動し（ミラーアップ）、被写体光Ｌはシャッター１８を介して撮像素子２０へ導かれ、その撮像面上に被写体像を結像する。撮像素子２０は、画素に対応する複数の光電変換素子を備えたイメージセンサなどによって構成される。撮像素子２０は、撮像面上に結像されている被写体像を撮像し、被写体像の明るさに応じた光電変換信号を出力する。  
【００１１】
レンズ駆動装置１７は、モータ、連結ギヤおよびカップリングなどで構成され、焦点調節時に光学系ＬＳに含まれるフォーカスレンズを合焦位置へ移動させるための駆動力を発生し、撮影レンズ２側へ伝達する。合焦位置へフォーカスレンズを移動させる場合の移動方向および移動量は、ＡＦ制御部１１０（図２）が行う焦点検出演算に基づいて決定される。
【００１２】
フォーカシングスクリーン５に結像した被写体光Ｌはさらに、ＰＮ液晶６を介してペンタプリズム７へ入射される。ＰＮ液晶６はポリマーネットワーク液晶によって構成され、通電されると光を透過し、非通電にされると光を拡散する。カメラ本体１は、上記焦点検出を行う領域（フォーカスポイントと呼ぶ）を示す表示をＰＮ液晶６によって行う。ＰＮ液晶６による表示内容は、ファインダ部５〜８による光学的な観察像に重ねて、接眼窓２６から接眼レンズ群８を通して観察される。
【００１３】
アイピースシャッター２４は、接眼窓２６から接眼レンズ群８側へ侵入する外光を遮断する。たとえば、三脚などを用いた撮影の場合に撮影者の顔が接眼窓２６から離れると、外光が接眼窓２６からカメラ本体１内へ侵入する。このカメラ本体１内に侵入した外光は、後述する測光・測色用センサー１１へ回り込み、被写体輝度の算出の際の誤差要因となる。アイピースシャッター２４は、このような外光の影響を抑えたい場合に閉じられる。アイピースシャッター２４の閉鎖時は被写体光も遮光されるので、接眼窓２６から観察像を観察することはできない。なお、アイピースシャッター２４は、接眼窓２６から観察像の観察ができるよう通常は開放（図１）されている。
【００１４】
測光・測色用センサー１１は、ファインダ部による観察像と略等しい範囲の被写体像を撮像し、被写体像の明るさに応じた光電変換信号を出力する。測光・測色用センサー１１には不図示のカラーフィルタが設けられている。このカラーフィルタは、たとえば、測光・測色用センサー１１の画素位置に配設されたＲ，Ｇ，Ｂ色のフィルタによって構成される。Ｒ色のフィルタを通して受光した画素からはＲ色成分の光に対応する光電変換信号が出力され、Ｇ色のフィルタを通して受光した画素からはＧ色成分の光に対応する光電変換信号が出力され、Ｂ色のフィルタを通して受光した画素からはＢ色成分の光に対応する光電変換信号が出力される。
【００１５】
白色透過式シャッター２７は、アイピースシャッター２４と略平行に設置される。白色透過式シャッター２７は、閉鎖時（図３）に、接眼窓２６から接眼レンズ群８側へ侵入する外光を透過し拡散させる。白色透過式シャッター２７を透過した光は白色光となる。（以後、白色透過光。）透過した外光の白色透過光は、接眼レンズ群８側へ入射し、測光・測色用センサー１１へ回り込む。本実施形態では、このような白色透過光を用いて測色を行う。測色は、被写体色のカラーバランスを調整するためのホワイトバランス調整値を決定するために、環境光（外光）のカラーバランス（具体的には、ＲＧＢ成分比）を測ることをいう。したがって、白色透過式シャッター２７は、測色時に閉じられる。なお、白色透過式シャッター２７は、接眼窓２６から観察像の観察ができるよう通常は開放（図１）されている。
【００１６】
不図示のアイピースシャッター駆動機構は、アイピースシャッター操作レバー２８に連動してアイピースシャッター２４、および白色透過式シャッター２７をそれぞれ開閉駆動する。具体的には、アイピースシャッター操作レバー２８の位置に応じて、アイピースシャッター２４を開かつ白色透過式シャッター２７を開、アイピースシャッター２４を閉かつ白色透過式シャッター２７を開、アイピースシャッターを開かつ白色透過式シャッター２７を閉（白色透過）、の３態様を切替える。
【００１７】
アイピースシャッター操作レバー２８の操作位置は、後述するマイクロスイッチ１２０（図２）によって検出される。たとえば、第１操作位置は、アイピースシャッター２４が開状態かつ白色透過式シャッター２７が開（通常時）状態に対応し、第２操作位置は、アイピースシャッター２４が閉状態かつ白色透過式シャッター２７が開（外光遮断時）状態に対応し、第３位置は、アイピースシャッターが開かつ白色透過式シャッター２７が閉（測色時）状態に対応する。
【００１８】
ペンタプリズム７は、入射された被写体光Ｌを接眼レンズ群８へ導く一方、その一部をプリズム９へも導く。プリズム９へ入射された光は、結像レンズ１０を介して測光・測色用センサー１１へ入射される。
【００１９】
ファインダ内液晶１３は、撮影に関する露出制御値などの情報を表示する。プリズム１２がファインダ内液晶１３の前（図１において左方）に配設されることにより、ファインダ内液晶１３による表示内容が、接眼レンズ群８を通してファインダ部による光学像と別に観察される。ファインダ内バックライト１４は、ファインダ内液晶１３を照明する。
【００２０】
ディジタル基板２２には、後述するＭＰＵ１０６、タイミング回路１０１、Ａ／Ｄ変換回路１０２およびＡＳＩＣ１０３などの回路が実装される。液晶表示部２３はカメラ本体１の背面側（図１において右側）に配設される。液晶表示部２３は、撮影画像や操作メニュー画面などを表示する。スピーカー２５は、ＭＰＵ１０６からの指示に応じて電子音を発生する。ＭＰＵ１０６は、たとえば、操作部材１０９が操作されたタイミングや、測色処理の終了を知らせるタイミングで電子音を発生させる。
【００２１】
図２は、上述した一眼レフ電子カメラシステムの回路構成を例示するブロック図である。カメラ本体１には、タイミング回路(TG)１０１と、Ａ／Ｄ変換回路１０２と、撮像素子２０と、ＡＳＩＣ１０３と、ＲＡＭ１０４と、液晶表示部２３と、ＭＰＵ１０６と、シャッター駆動機構１０７と、ミラー駆動機構１０８と、操作部材１０９と、ＡＦ制御部１１０と、ＡＥ制御部１１１と、マイクロスイッチ１２０とが設けられ、着脱可能な記録媒体１０５が実装されている。
【００２２】
＜カメラ本体＞
タイミング回路(TG)１０１は所定のタイミング信号を発生し、Ａ／Ｄ変換回路１０２、ＡＳＩＣ１０３および撮像素子２０のそれぞれにタイミング信号を供給する。Ａ／Ｄ変換回路１０２は、撮像素子２０からの光電変換信号（アナログ画像信号）をディジタル信号に変換する。ＡＳＩＣ１０３は、ディジタル変換後の画像信号に所定の画像処理（ホワイトバランス調整を含む）を施し、さらに必要に応じて圧縮処理を施す。
【００２３】
ＲＡＭ１０４は、ＡＳＩＣ１０３による処理時に画像データを一時保存する作業用メモリである。記録媒体１０５は、ＡＳＩＣ１０３による処理後の画像データを画像ファイルとして保存する不揮発性メモリなどで構成される。液晶表示部２３は、ＡＳＩＣ１０３による処理後の画像データによる再生画像を表示する。
【００２４】
ＭＰＵ１０６はマイクロプロセッサであり、各ブロックから出力される信号を入力して所定の演算を行い、演算結果に基づく制御信号を各ブロックへ出力する。ＭＰＵ１０６およびＡＳＩＣ１０３は、シリアル通信にてお互いの制御信号を送受する。
【００２５】
シャッター駆動機構１０７は、ＭＰＵ１０６から送出される指示に応じてフォーカルプレーンシャッター１８（図１）のチャージおよび駆動制御を行う。ミラー駆動機構１０８は、ＭＰＵ１０６から送出される指示に応じて、メインミラー４のミラーアップ駆動、およびミラーダウン駆動を制御する。マイクロスイッチ１２０は、上述したようにアイピースシャッター操作レバー２８の操作位置を検出し、位置検出信号をＭＰＵ１０６へ送出する。
【００２６】
操作部材１０９は、各種設定および選択操作に応じた設定・切換え信号をＭＰＵ１０６へ出力する。操作部材１０９には、半押しスイッチおよび全押しスイッチなどが含まれる。半押しスイッチおよび全押しスイッチは、レリーズボタン（不図示）の押下操作に連動して、それぞれがオン信号をＭＰＵ１０６へ出力する。半押しスイッチからの半押しオン信号は、レリーズボタンが通常ストロークの半分程度まで押し下げ操作されると出力され、半ストロークの押し下げ操作解除で出力が解除される。全押しスイッチからの全押しオン信号は、レリーズボタンが通常ストロークまで押し下げ操作されると出力され、通常ストロークの押し下げ操作が解除されると出力が解除される。
【００２７】
ＡＦ制御部１１０は焦点検出用センサー１６（図１）を含む。ＡＦ制御部１１０は、焦点検出用センサー１６による検出信号を用いて公知の位相差方式の焦点検出演算を行う。この演算によって撮影レンズ２による焦点調節状態（デフォーカス量）を求め、デフォーカス量に応じて光学系ＬＳを構成するフォーカスレンズ（不図示）の移動量を算出する。フォーカスレンズの移動量を示す信号は、ＭＰＵ１０６を介して撮影レンズ２側へ送信される。
【００２８】
ＡＥ制御部１１１は上記測光・測色用センサー１１（図１）を含む。ＡＥ制御部１１１は、測光・測色用センサー１１による光電変換信号を用いて被写体輝度を算出する。ＡＥ制御部１１１はさらに、設定されている撮像感度、ＭＰＵ１０６で取得されるレンズ情報、および算出した被写体輝度を用いて、所定の露出演算モードによる演算を行い、絞り値ＡＶおよびシャッター速度ＴＶを決定する。ＭＰＵ１０６は、測色時には測光・測色用センサー１１による光電変換信号を用いて、上述した環境光（外光）のＲＧＢ成分比を算出する。
【００２９】
ＭＰＵ１０６は、カメラ本体１に装着されている撮影レンズ２側のレンズＣＰＵ５０１との間で通信を行う。カメラ本体１および撮影レンズ２間の通信により、絞り値やレンズデータなどのレンズ情報が撮影レンズ２からカメラ本体１へ送信される一方、上記フォーカスレンズの移動量や駆動指示などのレンズ制御情報がカメラ本体１から撮影レンズ２側へ送信される。
【００３０】
＜撮影レンズ＞
撮影レンズ２には、レンズＣＰＵ５０１と、フォーカス駆動機構５０２と、絞り駆動機構５０３とが設けられている。レンズＣＰＵ５０１は、カメラ本体１側のＭＰＵ１０６との間で通信を行う。レンズＣＰＵ５０１は、絞り値やレンズデータなどのレンズ情報をカメラ本体１側へ送信する一方、上記フォーカスレンズの移動量や駆動指示などのレンズ制御情報をカメラ本体１から取得する。
【００３１】
フォーカス駆動機構５０２は、レンズＣＰＵ５０１から送出される指示に応じて、カメラ本体１側から伝達された駆動力でフォーカスレンズを所定方向へ所定量移動させる。絞り駆動機構５０３は、レンズＣＰＵ５０１から送出される指示に応じた絞り値にするように絞り３（図１）を所定段数駆動する。
【００３２】
本実施形態は、上述した一眼レフ電子カメラシステムのアイピースシャッター操作レバー２８の操作位置によって異なる処理を行うので、以降はこの点を中心に説明する。図４は、ＭＰＵ１０６が実行するカメラ処理の流れを説明するフローチャートである。ＭＰＵ１０６は、メインスイッチオン時に図４による処理を繰り返し実行する。
【００３３】
図４のステップＳ１０において、ＭＰＵ１０６は、アイピースシャッター操作レバー２８の操作位置を検出する。ＭＰＵ１０６は、マイクロスイッチ１２０からの信号に基づいて第１操作位置または第２操作位置を検出した場合はステップＳ２０へ進む。なお、第１操作位置は、アイピースシャッター２４が開かつ白色透過式シャッター２７が開である。第２操作位置は、アイピースシャッター２４が閉かつ白色透過式シャッター２７が開である。ＭＰＵ１０６は、マイクロスイッチ１２０からの信号に基づいて第３操作位置を検出した場合はステップＳ１００へ進む。第３操作位置は、アイピースシャッター２４が開かつ白色透過式シャッター２７が閉（測色時）である。
【００３４】
ステップＳ１００へ進むのは、測色を行う場合である。ＭＰＵ１０６は、ステップＳ１００において、レリーズボタン（不図示）が全押し操作されたか否かを判定する。ＭＰＵ１０６は、全押しスイッチ（操作部材１０９）からの全押しオン信号が入力された場合にステップＳ１００を肯定判定してステップＳ１１０へ進む。ＭＰＵ１０６は、全押しスイッチ（操作部材１０９）からの全押しオン信号が入力されない場合には、ステップＳ１００を否定判定してステップＳ１０へ戻る。
【００３５】
ステップＳ１１０において、ＭＰＵ１０６はミラー駆動機構１０８へ指示を送り、レンズ２を通過してくる光が測光・測色センサー１１に入射しないようメインミラー４のアップ駆動をさせてステップＳ１２０へ進む。ステップＳ１２０において、ＭＰＵ１０６は所定の測色処理を行ってステップＳ１３０へ進む。図３は、測色時における一眼レフ電子カメラシステムの構成を例示する図である。レンズ２の光学系ＬＳおよび絞り３を介してカメラ本体１内へ入射する光が測光・測色センサー１１に侵入しないようメインミラー４をアップ駆動させる。そうすることで、接眼窓２６からカメラ本体１内へ侵入する環境光（外光）を測光・測色センサー１１に導くことができる。さらに、接眼窓２６からカメラ本体１内へ侵入する環境光（外光）のうち、白色透過式シャッター２７を透過した白色透過光のみが接眼レンズ群８を介して測光・測色用センサー１１に入射する。ＭＰＵ１０６は、測光・測色用センサー１１に入射した環境光（外光）から、Ｒ，Ｇ，Ｂ色の光電変換信号比率に基づいて環境光（外光）のＲＧＢ成分比を測る。ＭＰＵ１０６は、撮影処理において行うホワイトバランス調整に用いるホワイトバランス調整値を、該測色結果に基づいて決定する。ＭＰＵ１０６は、測色結果およびホワイトバランス調整値をＭＰＵ１０６内の不揮発性メモリに保存する。
【００３６】
ステップＳ１３０において、ＭＰＵ１０６は、測色が終了したことをユーザに報知するためスピーカー２５を駆動して電子音を発生させてステップＳ１４０へ進む。ステップＳ１４０において、ＭＰＵ１０６はミラー駆動機構１０８へ指示を送り、メインミラー４のダウン駆動をさせてステップＳ１０へ戻る。
【００３７】
ステップＳ２０へ進むのは、通常撮影を行う場合である。ＭＰＵ１０６は、アイピースシャッター操作レバー２８が第１操作位置の場合、第２操作位置の場合に同様の処理を行う。ステップＳ２０において、ＭＰＵ１０６は、レリーズボタン（不図示）が半押し操作されたか否かを判定する。ＭＰＵ１０６は、半押しスイッチ（操作部材１０９）からの半押しオン信号が入力された場合にステップＳ２０を肯定判定してステップＳ３０へ進む。ＭＰＵ１０６は、半押しスイッチ（操作部材１０９）からの半押しオン信号が入力されない場合には、ステップＳ２０を否定判定してステップＳ１０へ戻る。
【００３８】
ステップＳ３０において、ＭＰＵ１０６はＡＥ制御部１１１へ指示を送り、測光・測色用センサー１１による検出信号を用いて測光を行わせる。ＡＥ制御部１１１は、上記検出信号に基づいて算出した被写体輝度、およびＭＰＵ１０６で取得されるレンズ情報を用いて所定の演算を行ってステップＳ４０へ進む。ステップＳ４０において、ＭＰＵ１０６はＡＥ制御部１１１へ被写体輝度情報、および該被写体輝度情報を用いて露出演算する指示を送り、絞り値ＡＶおよびシャッター速度ＴＶを決定させてステップＳ４０へ進む。
【００３９】
ステップＳ５０において、ＭＰＵ１０６は、レリーズボタン（不図示）が全押し操作されたか否かを判定する。ＭＰＵ１０６は、全押しスイッチ（操作部材１０９）からの全押しオン信号が入力された場合にステップＳ５０を肯定判定してステップＳ６０へ進む。ＭＰＵ１０６は、全押しスイッチ（操作部材１０９）からの全押しオン信号が入力されない場合には、ステップＳ５０を否定判定してステップＳ２０へ戻る。
【００４０】
ステップＳ６０において、ＭＰＵ１０６はミラー駆動機構１０８へ指示を送り、メインミラー４のアップ駆動をさせてステップＳ７０へ進む。ステップＳ７０において、ＭＰＵ１０６は、所定の撮影処理を行ってステップＳ８０へ進む。ステップＳ８０において、ＭＰＵ１０６はミラー駆動機構１０８へ指示を送り、メインミラー４のダウン駆動をさせてステップＳ９０へ進む。
【００４１】
ステップＳ９０において、ＭＰＵ１０６は、終了操作が行われたか否かを判定する。ＭＰＵ１０６は、たとえば操作部材１０９から機能設定モードなど他のモードへの切替え操作信号が入力された場合に、ステップＳ９０を肯定判定し、図４による処理を終了して他のモード処理を行う。ＭＰＵ１０６は、操作部材１０９から他のモードへの切替え操作信号が入力されない場合は、ステップＳ９０を否定判定してステップＳ１０へ戻る。
【００４２】
以上説明した実施形態によれば、以下の作用効果が得られる。
（１）一眼レフ電子カメラシステムは、被写体像を観察するためのファインダ部５〜８と、ファインダ部５〜８を通過する光を受光するための測光・測色用センサー１１と、ファインダ部５〜８の光路上に設けられ、該光路において光の通過状態と透過拡散状態とを切替える白色透過式シャッター２７と、白色透過式シャッター２７が拡散された環境光（外光）を透光する状態において測光・測色用センサー１１で受光される信号を用いて測色処理を行うＭＰＵ１０６とを備える。これにより、レンズキャップなどの外部機器を用いることなく適切な測色を行うことができる。
【００４３】
（２）上記（１）の一眼レフ電子カメラシステムにおいて、ファインダ部５〜８の光路中に設けられ、該光路において光の通過状態と遮光状態とを切替えるアイピースシャッター２４と、アイピースシャッター２４に対して切替えをさせるためのアイピースシャッター操作レバー２８とをさらに備え、該アイピースシャッター操作レバー２８は、白色透過式シャッター２７に対しても切替えさせるので、アイピースシャッター２４および白色透過式シャッター２７に対してそれぞれ操作レバーを設ける場合に比べて、省スペース化に貢献できる。
【００４４】
（３）上記（２）の一眼レフ電子カメラシステムにおいて、アイピースシャッター操作レバー２８は、アイピースシャッター２４による光の通過状態かつアイピースシャッター２４による光の通過状態と、アイピースシャッター２４による光の通過状態かつアイピースシャッター２４による拡散された環境光（外光）の透光状態と、少なくともアイピースシャッター２４による光の遮光状態と、を切替えさせるので、通常撮影に適した状態、三脚等を用いた撮影に適した状態、および測色時に必要な状態を１つの操作部材によって切替えることができる。これにより、レンズキャップや外部機器を用いるよりも簡単に短時間で測色を行うことができる。
【００４５】
（４）上記（１）〜（３）の一眼レフ電子カメラシステムにおいて、被写体像を撮像する撮像素子２０を有し、画像データを出力するＡＳＩＣ１０３と、撮像素子２０上に被写体像を結像させる光学系ＬＳと、光学系ＬＳを通過した被写体光をファインダ部５〜８へ導く第１光路および被写体光を撮像素子２０へ導く第２光路を切替えるメインミラー４と、をさらに備え、ＭＰＵ１０６は、白色透過式シャッターによる拡散された環境光（外光）の透光状態、かつアイピースシャッター２４による光の通過状態、かつメインミラー４が第２光路へ切替えた状態、において測光・測色用センサー１１で受光される信号を用いて測色処理を行うようにした。これにより、レンズキャップなどの外部機器を用いることなく適切な測色を行うことができる。
【００４６】
（５）上記（４）の一眼レフ電子カメラシステムにおいて、ＭＰＵ１０６が測色処理を終了したことを知らせるスピーカー２５をさらに備えるようにしたので、ユーザーは、たとえば、電子音が聞こえたらアイピースシャッター操作レバー２８を第１操作位置または第２操作位置へ戻す。このように、測色処理の終了をユーザーに知らせ、アイピースシャッター操作レバー２８の操作を促すことができる。
【００４７】
（変形例１）
以上の説明では、アイピースシャッター操作レバー２８が第３操作位置にある状態で、全押しスイッチ（操作部材１０９）からの全押しオン信号が入力された場合に測色を行う例を説明した。この代わりに、アイピースシャッター操作レバー２８が第１操作位置または第２捜査位置から第３操作位置へ操作されたことを検出した場合に、自動的に測色を行うように構成してもよい。
【００４８】
（変形例２）
上述した測色処理（ステップＳ１２０）において、たとえば、接眼窓２６から外光が入射していないなどの理由で測色できなかった場合には、ステップＳ１３０においてスピーカー２５に発生させる電子音を、正常な測色終了時の電子音と異ならせるようにしてもよい。ＭＰＵ１０６は、異なる電子音をスピーカー２５から発生させることにより、ユーザーに測色できなかったことを知らせる。なお、正常終了しなかった場合の測色結果およびホワイトバランス調整値をＭＰＵ１０６内の不揮発性メモリに保存しないのはいうまでもない。
【００４９】
（変形例３）
上述した説明では、撮影時の被写体色のカラーバランスを調整するために測色を行う例を説明した。これに加えて、撮影済みの画像データによる再生画像を液晶表示部２３に表示させる場合に測色結果を反映させるようにしてよい。たとえば、赤みがかった室内照明光の下で液晶表示部２３に再生表示させた画像を鑑賞する場合、照明光の赤みによって実際の撮影画像と異なる色合いに感じることがある。変形例３では、このような場合に再生表示時のＲＧＢ成分比を測色結果に基づいて調節する。ＭＰＵ１０６は、環境光（室内照明光）のカラーバランスに起因する液晶表示部２３に対する色かぶりを加味した上で、この色かぶりを抑えるように液晶表示部２３へ送る表示信号のＲＧＢ成分比を調節する。この結果、ユーザーは、実際の撮影画像に近い色合いで鑑賞できる。
【００５０】
（変形例４）
白色透過式シャッター２７をアイピースシャッター２４と略平行でなく、たとえば、ペンタプリズム７とプリズム９との間に設置してもよい。この場合の一眼レフ電子カメラシステムは、アイピースシャッター２４が閉かつ白色透過式シャッター２７が閉（測色時）である状態を第３操作位置として扱う。変形例４では、アイピースシャッター操作レバー２８が第３操作位置の場合に、接眼窓２６からカメラ本体１内へ侵入する光はアイピースシャッター２４で遮断される。代わりに、メインミラー４をダウン状態にしておき、撮影レンズ２の光学系ＬＳおよび絞り３を介してカメラ本体１内へ入射する環境光（外光）のうち、ペンタプリズム７から射出されて白色透過式シャッター２７を透過し拡散された環境光（外光）を、プリズム９を介して測光・測色用センサー１１へ入射させる。ＭＰＵ１０６は、この場合のＲ，Ｇ，Ｂ色の光電変換信号比率に基づいて環境光（外光）のＲＧＢ成分比を測る。
【００５１】
なお、上記の実施形態では一眼レフ電子カメラシステムを用いて本発明を説明したが、これに限るものではない。メインミラー４のないミラーレスの一眼電子カメラシステムや、コンパクトカメラに本発明を用いてもよい。
【００５２】
以上の説明はあくまで一例であり、上記の実施形態の構成に何ら限定されるものではない。
【符号の説明】
【００５３】
１…カメラ本体
２…撮影レンズ
８…接眼レンズ群
１１…測光・測色用センサー
２０…撮像素子
２３…液晶表示部
２６…接眼窓
２７…白色透過式シャッター
２８…アイピースシャッター操作レバー
１０６…ＭＰＵ
１０８…ミラー駆動機構
１０９…操作部材
１１１…ＡＥ制御部
１２０…マイクロスイッチ
【図１】
2012154694.tif 000003
【図２】
2012154694.tif 000004
【図３】
2012154694.tif 000005
【図４】
2012154694.tif 000006